(57)【要約】【課題】スクリーンに投影されたランプの擬似的配光パターンを、計測者に対してもっと判り易くすると共に、制御部が演算した結果も一緒に表示し、計測作業ないし測定精度の向上を図ること。【解決手段】受光部内に調節動手段の作動により左右及び上下方向へそれぞれ移動できるように配設されたスクリーンと、調節動手段を作動させるために受光部に突出するように設けられた操作部を備えるヘッドライトテスタに於いて、受光部内に可動のスクリーンを撮像する撮像装置を設け、また、受光部に操作部の操作力によって移動するスクリーン用の移動量測定手段を設け、前記撮像装置で取得した撮像映像を、制御部の信号変換手段を介して変換した上で外部の表示手段に表示すると共に、制御部で演算した情報も該表示手段で一緒に表示すること。【選択図】図３
2008046063.tif 000002
【特許請求の範囲】
【請求項１】
受光部と、この受光部内に調節動手段の作動により左右及び上下方向へそれぞれ移動できるように配設されたスクリーンと、調節動手段を作動させるために受光部に突出するように設けられた操作部を備えるヘッドライトテスタに於いて、受光部内に可動のスクリーンを撮像する撮像装置を設け、また、受光部に操作部の操作力によって移動するスクリーン用の移動量測定手段を設け、前記撮像装置で取得した撮像映像を、制御部の信号変換手段を介して変換した上で外部の表示手段に表示すると共に、制御部で演算した情報も該表示手段で一緒に表示することを特徴とするヘッドライトテスタ。
【請求項２】
請求項１に於いて、制御部で演算した情報の中には、少なくとも、スクリーンの移動量及び基準位置情報に基づいて算出した照射方向に関する情報が含まれていることを特徴とするヘッドライトテスタ。
【請求項３】
請求項１に於いて、調節動手段を構成する操作部は、受光部の上壁に設けられていることを特徴とするヘッドライトテスタ。
【請求項４】
請求項１に於いて、スクリーン用の調節動手段は、上下動用の構成部材３１と、左右動用の構成部材４１とから成り、前記上下動用の構成部材３１は、少なくとも、支持箱２９の内壁２９ａに固定された垂直螺合筒３２と、この垂直螺合筒３２に摺嵌された垂直螺杆３３と、該垂直螺杆の突出上端部に設けられた第１操作部３４を有していることを特徴とするヘッドライトテスタ。
【請求項５】
請求項１に於いて、ヘッドライトテスタのベース２上面に床面レール１と直交するように左右一対の案内手段が固定され、該案内手段には、受光部を支持する支柱を備え、かつ、前後動する可動板７が載せられていることを特徴とするヘッドライトテスタ。
【発明の詳細な説明】
【技術分野】
【０００１】
本発明は、ランプの照射方向や光度を測定する自動車のヘッドライトテスタに関し、特に受光部内部のスクリーンに投影されたランプの疑似映像を表示する構成に特徴を有するヘッドライトテスタに関する。
【背景技術】
【０００２】
特許文献１には、被検査車両のヘッドライト（ランプ）から照射された光を集光レンズ（フレネルレンズ）で集光し、受光部内部の基準位置に設置されたスクリーン上に、被検査車両から１０ｍ先のランプ光（配光）を擬似的に映す事項、前記スクリーンを、受光部の後壁に設けた操作手段（ダイヤル）ないしスクリーンの背面側に設けた上下左右調節手段（ピニオン、ラック等）を介して可動させる事項、スクリーンに対して受光素子（フォトセンサー）を取り付ける事項、受光素子で検出した情報を計器類に表示する事項等が記載されている。
【０００３】
一方、特許文献２には、受光部内部に配設されたスクリーンに対して、該スクリーンに指向する配光検出カメラ（撮像装置）を受光部の上方に配設し、前記スクリーンに投影された配光パターンを、前記撮像装置を用いて撮像し、かつ、演算制御手段で解析し、かつ、受光部と別体に形成された外部の表示手段に前記配光パターンを表示した上で、前記表示手段に表示されている折れ線マーク（エルボーライン）を操作入力により移動させる事項等が記載されている。後者は、いわゆるすれ違い灯（下向き灯）検査に関して、制御部の演算処理によって照射方向を求めるタイプである。
【０００４】
ところで、特開平１１−２５８１１２号公報に記載の実施例は出願人が提案したものであるが、この実施例では、受光部の上壁に配光パターンを投影するスクリーンを設けたものの、スクリーンについての視認性に問題点があった。そこで、この問題点を解消するために、出願人は、さらに、特許文献１を提案したものの、基本的な問題点として、計測者が、直接的に受光部のスクリーンを観測するので、照射方向を目視によって測定する際、受光部内部のスクリーンに再現された疑似映像が、小さく、また、観測しにくい。そこで、特許文献１のこのような問題点をもっと有効的に解決することが望ましい。
【０００５】
一方、特許文献２に記載の実施例は、配光検出カメラ（撮像装置）で所得したスクリーンの投影情報を外部の表示手段に表示するものであるが、視覚上、その表示態様や計測情報に関する表示にもっと工夫が望まれる。
【特許文献１】特許第３６７５７３０号公報
【特許文献２】特開２００２−１４００７号公報
【発明の開示】
【発明が解決しようとする課題】
【０００６】
本発明の所期の目的は、スクリーンに投影されたランプの擬似的配光パターンを、計測者に対してもっと判り易くすると共に、制御部が演算した結果も一緒に表示し、計測作業ないし測定精度の向上を図ることである。本発明の第２の目的は、極力外部の表示手段に計測に関する情報を表示し、望ましくは計器類を省くことである。本発明の第３の目的は、受光部の外面に設けられた操作部（ダイヤル）の操作性を良くし、受光部内に配設したスクリーンを容易に可動させることができることである。
【課題を解決するための手段】
【０００７】
本発明のヘッドライトテスタは、受光部と、この受光部内に調節動手段の作動により左右及び上下方向へそれぞれ移動できるように可動取り付け板を介して配設されたスクリーンと、前記調節動手段を作動させるために受光部の外壁面に突出するように設けられた操作部を備えるヘッドライトテスタに於いて、前記受光部内に可動のスクリーンを撮像する撮像装置を設け、また、受光部に前記操作部の操作力によって移動するスクリーン用の移動量測定手段を設け、前記撮像装置で取得した撮像映像を、制御部の信号変換手段を介して変換した上で外部の表示手段に表示すると共に、前記制御部で演算した情報も該表示手段で一緒に表示することを特徴とする。
【発明の効果】
【０００８】
（１）撮像装置、外部の表示手段、スクリーン用の移動量測定手段等を設けたので、スクリーンに投影されたランプの擬似的配光パターンを、計測者に対してもっと判り易くすると共に、制御部が演算した結果も一緒に表示し、計測作業ないし測定精度の向上を図ることができる。
（２）スクリーン用の移動量測定手段を設けたことにより、極力外部の表示手段に計測に関する情報を表示することができる。
（３）請求項３に記載の発明は、計測者は受光部の手前等から操作部（ダイヤル）を操作することができるので、操作部の操作性が良い。したがって、受光部内に配設したスクリーンを容易に可動させることができる。
（４）請求項４に記載の発明は、構成部材を合理的に組み合わせることができる。
（５）請求項５に記載の発明は、受光部の正対に関して、所定の測定距離点を容易に調整することができる。
【発明を実施するための最良の形態】
【０００９】
以下、図１乃至図６に示す本発明を実施するための最良の形態により説明する。
【００１０】
（１）発明の実施の環境
図１は発明の実施の環境を示す正面視からの概略説明図である。図１に於いて、Ｘはヘッドライトテスタで、このヘッドライトテスタＸは、整備工場の床面Ｆ上に敷設された一組のレール１を走行する。
【００１１】
しかして、２は台状ベースで、このベース２はレール１を介して矢印Ａ方向（図面上横方向）に往復動する。公知のように、ヘッドライトテスタＸは、回転ハンドル式の上下昇降機３、図示しない回転式摘み操作部を含む左右（水平）回動機構及び回転式摘み操作部を含む上下方向への首振り用回動機構をそれぞれ有している。
【００１２】
したがって、上下昇降機３の支持体３ａに設けられた受光部４は、例えば上下昇降機３により矢印Ｂ方向に上下動する、左右（水平）回動機構により支柱５を中心にして矢印Ｃ方向へ回転する、上下方向への首振り用回動機構により首振り等をする。
【００１３】
（２）ベース２上に設けられた部材
本実施例では、ベース２上に、さらに次のような部材が設けられている。すなわち、６はベース２上面に床面レール１と直交するように固定された左右一対の案内手段で、この案内手段６には、図示しない被試験車両の方向へ所要量だけ前後動する可動板７が載せられている。したがって、本発明の受光部４は、ランプ正対時、所定の測定距離点の位置調整をすることができる。ここで「所定の測定距離点」とは、当業者間の規格事項として了承されている距離（例えば１ｍ）である。
【００１４】
ところで、本実施例の案内手段６は、ベース２の上面に設けられた水平ガイドレール及び該水平ガイドレールに係合する可動板７の被係合部（例えば水平案内溝）８で構成されている。つまり、案内手段６は、ベース２の上面から可動板７の下面に亘って設けられたレール部材並びに可動板７の水平案内溝である。
【００１５】
（３）外部の表示手段１１
図１、図２に於いて、１１は外部の表示手段で、この表示手段１１は、本実施例では、箱型受光部４の上壁４ａの前部に回動可能に設けられた画面型ディスプレイ（例えば液晶画面等）である。この表示手段１１の設置箇所は、特に限定するものではなく、支柱５に支持台を介して設けても良い。しかして、表示手段１１は表示画面１１ａを有し、この表示画面１１ａの下部には、複数個（例えば４個）の情報表示部１１ａ乃至１１ｅが横方向に設けられている。
【００１６】
しかして、１１ｂはスクリーンの左右方向の移動量を表示する第１情報表示部、１１ｃはスクリーンの上下方向の移動量を表示する第２情報表示部、１１ｄ、１１ｅは、前記スクリーンの移動量及び記憶部に予め格納されている基準位置情報に基づき算出された照射方向、光度情報等の結果を表示する第３情報表示部及び第４表示部である。第３情報表示部及び第４表示部には、例えばスクリーンに対して上下左右方向に配設されて複数の受光素子の出力情報、当該ランプの光度情報、照射方向等の必要な情報が表示される。
【００１７】
なお、スクリーンの移動情報を表示する第１情報表示部１１ｂ及び第２情報表示部１１ｃは、ランプの情報を表示する第３情報表示部１１ｄ及び第４表示部１１ｅに対して、視覚上識別することができるように表示部の外観形状が異なる（図１）。
【００１８】
（４）受光部内部の構造
本発明は、受光部内部にスクリーン１３の全体を撮像する装置１５を設け、この撮像装置１５で取得した撮像映像を、制御部の信号変換手段を介して変換し、この変換した情報を受光部４の内部に設けたスクリーン１３とは別個の外部の表示手段１１に拡大、カラー等の表示をすることから、必要最低限度の部材を受光部４内に設けている。
【００１９】
すなわち、１２は被試験車両（測定車）のランプＲと対面する集光レンズで、この集光レンズ１２はランプＲの照射光が集光する。１３はランプＲの配光パターンが投影されるスクリーンで、スクリーン１３は公知のようにＸ軸、Ｙ軸を示す基準位置情報（基準線）が設けられている。本実施例のスクリーン１３は、複数個の操作部を含む調節動手段１４により可動する。
【００２０】
さらに、１５は受光部内部に配設され、かつ、スクリーン１３に指向する配光検出カメラ（撮像装置）である。撮像装置１５は、図２で示すようにランプＲの照射光の光束範囲１６から外れた部位で、かつ、極力スクリーン１３の正面に近くなる部位に取り付け板１７を介して配設される。
【００２１】
したがって、本実施例では、計測者がスクリーン１３を直視する覗き手段を受光部４の上壁窓部に設ける必要がない。その他特に図示しないが、受光部内部には、レーザー発振器や配光測定方法に基づく複数の受光素子が配置されている。
【００２２】
なお、受光素子の配設態様や機能については、当業者にとっては自明事項（例えば特許文献１）ないので、詳細な説明を割愛する。
【００２３】
（５）本発明の概念図
図３は本発明の特徴を示す概念図である。１３は前述したスクリーン、１５は撮像装置、２０はＡ／Ｄ変換器、２１は制御部、２２は記憶部、２３は制御部の信号変換手段、１１は外部の表示手段である。一方、１４はスクリーン用の調節動手段、２４はスクリーンの移動量測定手段である。これらの各部材は電気的ないし機械的に接続し或いは関連付けられている。
【００２４】
しかして、スクリーン１３は、前述したように公知事項を全て備えている。また、撮像装置１５はスクリーン１３を直接または間接的に撮像できる位置に設置されている。本実施例では、撮像装置１５は取り付け板１７を介してスクリーン１３の前方斜め上方に固定的に配設されているが、もちろん、スクリーンの移動に際して、撮像装置１５をスクリーンの移動方向に連動するように構成しても良い。例えば取り付け板１７に上下用サーボモータをそれぞれ取り付け、これらのサーボモータの駆動力で左右・上下にそれぞれ移動するスライド支持板を前記取り付け板１７に設け、該スライド支持板に撮像装置１５を固定的に取り付ける。
【００２５】
またＡ／Ｄ変換器２０は、撮像装置１５からの画像信号をＡ／Ｄに変換する。このＡ／Ｄに変換されたデッジタル画像信号は制御部２１の記憶部２２に一時的に保存される。記憶部２２には照射方向を求める為の基準位置情報、照射方向を算出するための計算式を含む解析プログラム、ランプに関する映像情報等がそれぞれ格納ないし保存されている。
【００２６】
また制御部２１は、前記記憶部２２に格納ないし保存されている情報及びプログラムに基づき画像情報（ランプに関する映像情報）を、信号変換手段（機能）２３を用いて変換処理する。本実施例では、計測者が外部の表示手段１１で見やすいように全体拡大、部分拡大表示、階調表示、カラー表示等をする。そして、図３で示すように、外部の表示手段１１の表示画面１１ａには、制御部２１で画像処理されたランプの疑似映像が鮮やかに拡大表示、階調表示、カラー表示等される。
【００２７】
なお、スクリーン１３には通常、走行灯（上向き灯）の照射方向及び輝度を測定するためのセンサーが埋まっているが、そのセンサーは本発明の限定要件ではなく、撮像装置１５を用いて照射方向の解析を行っても良い。
【００２８】
ところで、本実施例のスクリーン１３は、スクリーン用の調節動手段１４の駆動力により左右・上下に動くことを前提にしている。そこで、スクリーン１３の移動量を検出する移動量測定装置２４が調節動手段１４に連動するように受光部４内に設けられている。制御部２１は、この移動量測定手段２４で検出された移動情報を取得することができる。そして、制御部２１は移動情報を取得すると、外部の表示手段１１の第１情報表示部１１ｂと第２情報表示部１１ｃにそれぞれ数値に表して表示する。
【００２９】
もちろん、スクリーン１３に関する移動情報は、第１情報表示部１１ｂと第２情報表示部１１ｃではなく、表示画面１１ａに表示しても良い。付言すると、スクリーン１３の移動情報は、ヘッドライトの照射方向として、表示画面１１ａに表示されている鮮明な配光パターンと共に表示することができる。もちろん、表示画面１１ａには、照射方向情報も含め、テスタとして必要な複数の情報を表示することができる。
【００３０】
（６）調節動手段１４と移動量測定手段２４
図４は調節動手段１４と移動量測定手段２４を示す。本実施例の操作部（例えばダイヤル）を含む調節動手段１４は、計測者の操作性を考慮して、前記操作部を受光部４の上壁４ａに配設している。
【００３１】
しかして、スクリーン１３用の調節動手段１４は、受光部４内の後方部に配設され、かつ、前方開口の支持箱２９ないし受光部の上壁４ａに設けられた上下動機構の構成部材３１と、左右動機構の構成部材４１から成り、これらの構成部材３１、４１には仮想線で示したスクリーン１３用の左右一組の支持アーム３０が介在している。
【００３２】
しかして、上下動用の構成部材３１は、図５で示すように、支持箱２９の右側内壁２９ａ付近に設けられた垂直螺合筒３２と、この垂直螺合筒３２に摺嵌された垂直螺杆３３と、該垂直螺杆の突出上端部に設けられたフランジ付第１操作部３４を有している。
そして、前記垂直螺合筒３２には、水平方向へ移動可能な取付け板３５に横架した２本の案内横杆３６が設けられ、前記取付け板３５に前述した左右一組の支持アーム３０の基端部が固定されている。
【００３３】
したがって、計測者が受光部４の上壁４ａ側から第１操作部３４を操作すると、矢印で示すように垂直螺合筒３２が上下動する。それ故に、スクリーン１３は構成部材３１を介して上下方向へ移動する。
【００３４】
ところで、スクリーン１３の上下方向の移動量は、上下用の移動量測定手段２４で測定することができる。移動量測定手段２４は、例えばＰＭと称されているアナログポテンションメーター２４ａを採用している。実施例では、ＰＭ２４ａは、図５で示すように支持箱２９の内壁に適宜に固定されている。なお、移動量測定手段２４は、垂直螺杆３３に固定された伝動歯車２４ｂ、該伝動歯車２４ｂと噛合するＰＭ２４ａ側の不番の従動歯車を有している。
【００３５】
一方、左右動用の構成部材４１は、図４の左側に位置している。すなわち、４２は支持箱２９の他方の側壁２９ｂの内壁面に固定された支持板で、この固定支持板４２の裏側には、横方向の可動ラック板４３が設けられている。この可動ラック板４３の右端部には、移動可能な取付け板３５の左端部の前面に対面する係合板部４３ａが折り曲げ形成されて設けられている。
【００３６】
そして、前記係合板部４３ａの左端部には、固定支持板４２の平面視アングル形状に見える案内部分を貫通する２本のガイド軸４３ｂが横設されている。加えて、係合板部４３の垂直内面には不番の係合ピンが設けられ、前記該係合ピンは可動取付け板３５の不番の縦長孔に係合している。
【００３７】
そこで、可動ラック板４３を含む左右動用の構成部材４１を説明すると、４４は、計測者が受光部４の上壁４ａ側から操作可能な第２操作部で、この第２操作部４４には、垂直軸４５が垂下している。４６は垂直軸４４の下端部に固定され、かつ、可動ラック板４３と噛合するピニオンである。
【００３８】
したがって、計測者が受光部４の上壁４ａ側から第２操作部４４を操作すると、可動ラック板４３が左右方向に移動する。可動ラック板４３の右端部は可動取付け板３５の左端部に連係手段を介して係合していることから、例えば可動ラック板４３が右方向へ移動すると、該可動ラック板４３を介してスクリーン１３も右方向へ移動する。
【００３９】
ところで、スクリーン１３の左右方向の移動量は、説明の便宜上、同一符号で示した左右用の移動量測定手段２４で測定することができる。左右用の移動量測定手段２４は、上下用のそれと同様に、ＰＭ２４ａを採用している。実施例では、ＰＭ２４ａは、図４で示すように支持箱２９の内壁に適宜に固定されている。そして、左右用の移動量測定手段２４も、垂直軸４５に固定された伝動歯車２４ｂ、該伝動歯車２４ｂと噛合するＰＭ２４ａ側の不番の従動歯車を有している。
【００４０】
（７）フローチャートの一例
図６はフローチャートの一例を示す。まず、Ｓｔｅｐ１は、撮像装置１５を用いてスクリーン１３に投影された被試験車両のランプＲの配光パターンを撮影する。
【００４１】
次に、Ｓｔｅｐ２は、撮像装置１５で取得した画像信号（擬似映像）をＡ／Ｄに変換する。つまり、アナログの擬似映像をデジタル画像信号に変換する。次に、Ｓｔｅｐ３は、変換したデジタル画像信号を記憶部２２に一時的に保存する。
【００４２】
次に、Ｓｔｅｐ４では、制御部２１は記憶部２２のデジタル画像信号を取得し、かつ、信号変換手段２３を用いてデジタル画像信号を変換処理する。信号変換手段２３は、全体拡大、部分拡大表示、階調表示、カラー表示等をする機能を有している。
【００４３】
Ｓｔｅｐ５は、計測者にとって見やすいように画像処理された配光映像を外部の表示手段１１の表示画面１１ａに表示する。そこで、Ｓｔｅｐ６は、計測者は前記表示画面１１ａに表示されている拡大等の配光映像を見ながら第１操作部３４または／及び第２操作部４４を操作する。第１操作部３４または／及び第１操作部４４を操作すると、スクリーン１３は上下動機構の構成部材３１を介して上下方向へ移動し、或いは左右動機構の構成部材４１を介して左右方向へ移動する。
【００４４】
Ｓｔｅｐ７は、制御部２１は移動量測定手段２４を介してスクリーン１３の移動量を検出する。一方、Ｓｔｅｐ８は、制御部２１は記憶部２２に予め格納されている基準位置情報を呼び出す。
【００４５】
そして、Ｓｔｅｐ９では、計算式を含む解析プログラムに基づいて、かつ、スクリーン１３の移動量及び基準位置情報に基づいて、照射方向、光度情報等を算出する。Ｓｔｅｐ１０では、スクリーン１３の移動量及び算出結果（特に照射方向）を第１情報表示部乃至第４表示部に同時或いは異なる時期に表示する。
【実施例】
【００４６】
発明の実施の形態で示した実施例に於いて、移動量測定手段２４のＰＭ２４ａは一例であって、例えばＰＭ２４ａに変えてエンコーダを用いることができる。また、調節動手段１４も前述した構成に限るものではない。
【産業上の利用可能性】
【００４７】
本発明は、主に自動車の整備業界で利用される。
【図面の簡単な説明】
【００４８】
図１乃至図６は本発明の最良の実施例を示す各説明図。
【図１】発明の実施の環境を示す正面視からの概略説明図。
【図２】側面視からの主要部の概略説明図。
【図３】本発明の概念図（ブロック図）。
【図４】調節動手段及び移動量測定手段の概略説明図。
【図５】図４における要部の説明図。
【図６】フローチャートの一例。
【符号の説明】
【００４９】
Ｘ…ヘッドライトテスタ、Ｆ…床面、Ｒ…ランプ、１…レール、２…ベース、４…受光部、４ａ…上壁、１１…表示手段、１１ａ…表示画面、１１ｂ…第１情報表示部、１１ｃ…第２情報表示部、１１ｄ、１１ｅ…その他の情報表示部、１２…集光レンズ、１２ａ…中心軸、１３…スクリーン、１４…スクリーン用の調節動手段、１５…撮像装置、１６…光束範囲、１７…取り付け板、２０…Ａ／Ｄ変換器、２１…制御部、２２…記憶部、２３…信号変換手段、２４…移動量測定手段、２４ａ…ポテンションメーター、２９…支持箱、２９ａ、２９ｂ…側壁、３０…支持アーム、３１…上下動機構の構成部材、３２…垂直螺合筒、３３…垂直螺杆、３４…第１操作部、３５…可動取付け板、３６…案内横杆、４１…左右動機構の構成部材、４２…支持部材、４３…可動ラック板、４４…第２操作部、４５…垂直軸、４６…ピニオン。
【図１】
2008046063.tif 000003
【図２】
2008046063.tif 000004
【図３】
2008046063.tif 000005
【図４】
2008046063.tif 000006
【図５】
2008046063.tif 000007
【図６】
2008046063.tif 000008